(57)【要約】      （修正有）【課題】体の外から特定の周波数のパルス電流により刺激し、脳波をその周波数に誘導する事ができる脳波強制誘導装置を提供する。【解決手段】人体頭部にパルス電流を通電する装置１において、パルス電流をアルファ波領域（８〜１３Ｈｚ）・シータ波領域（４〜７Ｈｚ）・デルタ波領域（０．５〜４Ｈｚ）中の特定の周波数のものに選択可能とする。【選択図】図１
0003115353.tif 000002
【実用新案登録請求の範囲】
【請求項１】
人体頭部にパルス電流を通電する装置において、パルス電流をアルファ波領域（８〜１３Ｈｚ）・シータ波領域（４〜７Ｈｚ）・デルタ波領域（０．５〜４Ｈｚ）中の特定の周波数のものに選択可能としたことを特徴とする脳波強制誘導装置。
【請求項２】
人体頭部への通電はこめかみ及び耳の前部に接触させた電極から行う請求項１記載の脳波強制誘導装置。
【請求項３】
１／ｆ型の特性のゆらぎに基づくリズム音を発生する手段を有する請求項１又は２に記載の脳波強制誘導装置。
【考案の詳細な説明】
【技術分野】
【０００１】
この考案は人体の頭部に微弱なパルス電流を通電することにより、脳波へパルスを誘導する装置に関する。
【背景技術】
【０００２】
従来、人体の頭部に微弱なパルス電流を通電する装置が公知であった（特許文献１、２）。上記の従来技術は本願考案の考案者及び出願人が関与した実用新案出願であるが、それを実施した製品は１８０Ｈｚのパルス電流を人体頭部に付与することにより、脳内の血液量及び酸素消費量を急激に増加させることを企図していた。
【０００３】
一方、音や光の刺激により人体にアルファ波を誘引する装置が公知であった（前者のものとしては例えば特許文献３、後者のものとしては例えば特許文献４）。
【特許文献１】実公平４−１２９９５号公報
【特許文献２】実用新案登録第３０６９２２９号公報
【特許文献３】実用新案登録第３０３６２１２号公報
【特許文献４】特開平１１−１１１０２３号公報
【考案の開示】
【考案が解決しようとする課題】
【０００４】
しかしながら、前者の従来技術はパルス電流を付与することにより筋肉に電気的刺激を与えてマッサージ効果を生じさせ、脳内の血液量及び酸素消費量の増加などを図ることを目的としたものであり、パルス電流の周波数に関しては何ら解明されていなかった。
【０００５】
又、後者の従来技術は間接的であり、直ちに所定の効果を得られない問題点があった。
【課題を解決するための手段】
【０００６】
本願考案の考案者らは、前記の従来技術を実施した１８０Ｈｚの周波数のパルスを発生する装置をベースに、脳神経学者達のこれまでの臨床報告書等を参考に周波数及び電流が及ぼす脳への影響を様々な観点から実験応用してきた結果、脳内の特定した脳波の周波数に対し、頭骨外部（こめかみ部・耳部など）からの特定の周波数を通電する事により、半強制的に脳波にゆらぎを起こし、脳細胞すべてに共振共鳴を起こさせ誘導することを想起し、本願考案に至った。
【０００７】
即ち、この考案の脳波強制誘導装置は人体頭部にパルス電流を通電する装置において、パルス電流をアルファ波領域（８〜１３Ｈｚ）・シータ波領域（４〜７Ｈｚ）・デルタ波領域（０．５〜４）中の特定の周波数のものに選択可能としたことを特徴とする
この考案の装置は、人体頭部に微弱電流を通電可能な＋電極と−電極を、頭部（こめかみ及び耳部）の左右に装着させ、人体を媒介して電流を通電する装置であり、アルファ波領域（８〜１３Ｈｚ）・シータ波領域（４〜７Ｈｚ）・デルタ波領域（０．５〜４Ｈｚ）中の特定の周波数を選択して通電する。
【０００８】
人間は、常に色々な情報を周囲から受け取りながら日常生活を営んでおり、その情報としては、視覚・聴覚・触覚などに代表される様々な知覚が挙げられる。これらは目、耳、手足などから入った刺激が情報として末梢神経を伝わり、さらにいくつかの神経核（神経細胞）をリレーして脳内に伝わるものであるが、その過程で、次々と神経核が電気的な興奮を示す。この電気的な興奮を頭の骨の表面に置いた電極から微弱な電位変化として検出したものを誘発電位といい、これは、あたえられる刺激により、光では視覚誘発電位、音では聴覚誘発電位、痛覚では体性感覚誘発電位と呼ばれている。これらの誘発電位を応用した脳誘発電位検査（体の外から刺激して脳内の反応を調べる）があるが、この考案は、体の外から特定の周波数のパルス電流により刺激し、脳波をその周波数に誘導する事を目的としたものである。
【考案の効果】
【０００９】
この考案の装置によれば、脳内及び顔面筋もしくは神経細胞（神経核）に微弱な特定の周波数の電気刺激をダイレクトに通電する事により、脳細胞にゆらぎが生じる。特定した周波数に脳波をあわせていく事により脳波は、その周波数に同調・共鳴する事となり、従来の光・音のように電気信号に変換される事を必要としないため、短時間でかつ効率的な効果が期待できる。
【００１０】
又、最近の脳の研究において、１０Ｈｚのアルファ波領域の周波数は、セロトニンの生成および、回転率を高めることが解明された。１０Ｈｚの周波数の電磁波を脳に送ると、脳幹下部の細胞が反応することが期待できる。又、０．５Ｈｚのデルタ波領域の超低速波のように、脳細胞すべてを共振させ、刺激し、それらにバランスをもたらす電流もある。様々な国の脳科学者達の論文をひもとくと、周波数（パルス）の刺激が脳細胞及び脳内神経伝達物質等に及ぼす影響を様々な表現で著していることがわかる。これらの専門的な細胞への影響や神経伝達物質の増加等の研究は、本考案として論ずる論拠はないが、少なくとも、周波数（パルス）の頭骨および耳部等から脳内及び眼球内部の外眼筋・眼輪筋・毛様体筋等の筋肉への刺激および経絡への刺激等により、末梢神経・自律神経等に及ぼす影響は、突き詰めれば連動している脳細胞への刺激、脳内の血流量及び酸素量等に華々しく作用する事は明らかとなっている。
【考案を実施するための最良の形態】
【００１１】
以下、この考案の具体的実施例を添付図面に基づいて説明する。図１はこの考案の脳波強制誘導装置の電気回路を示すブロック図である。この装置はパルス電流を発生する装置本体１と、人体に装着するための電極７Ａ、７Ｂからなる。上記の装置本体１は筐体内にパルス電流を生成するパルス発生部２と、操作部４からの操作によりパルス発生部に対して特定の周波数の矩形型波形のパルスを生成させる制御部３を収容し、筐体表面には上記制御部の操作スイッチや摘みの他に、パルスの周波数や時間を表示する表示部５が配される。又、制御部３は操作部からの操作によりパルス電流の通電時間や電流の強さも制御する。この考案においては、発生するパルス電流の周波数としてはアルファ波領域の１３Ｈｚ、１０Ｈｚ、８Ｈｚより若干長い７．８Ｈｚ、シータ波領域の５．４Ｈｚ、デルタ波領域の０．５Ｈｚを選択可能としている。
【００１２】
前記の各周波数のパルス電流による人体への想定される効果を表１として下記する。
（表１）
┌─────┬───────────────────────────────┐
│１３Ｈｚ  │目の周り、顔面筋が揺れ動き、大変心地よい刺激を感じ、リラクゼー│
│          │ション効果を実感できる。                                      │
├─────┼───────────────────────────────┤
│１０Ｈｚ  │ストレス解消効果。脳内神経伝達物質セロトニンの生成及び回転率を│
│          │高める。                                                      │
├─────┼───────────────────────────────┤
│７．８Ｈｚ│学習力、集中力、想像力を養う。                                │
├─────┼───────────────────────────────┤
│５．４Ｈｚ│アルファ波からシータ波へ誘導する。瞑想状態へ導ける。分析・創造│
│          │・学習能力等が向上する。                                      │
├─────┼───────────────────────────────┤
│０．５Ｈｚ│超低速波。脳細胞すべてを共振させ、刺激し、それらのバランスをも│
│          │たらす。                                                      │
└─────┴───────────────────────────────┘
電極７Ａ、７Ｂはコード６を介して装置本体１から延長され人体に装着される。これらの電極７Ａ、７Ｂはマイナス及びプラスに対応しているが、後記するようにヘッドフォーン状の装着具に支持される関係上、人体に対する左右の装着方向が固定されるので、ここでは操作部４からの操作によりプラス、マイナスを反転可能としている。
【００１３】
図２は前記の電極７Ａ、７Ｂを人体に装着するための装着具１０の具体例を示す図である。ここでは装着具１０は人体の頭部にワンタッチで着脱できるように湾曲したアームの両端に皮膚への接触部１２Ａ、１２Ｂを配したヘッドフォーン状に構成される。接触部１２Ａ、１２Ｂは図３に示すように導電ゴムからなる外層１１Ａ、１１Ｂの中に電極を７Ａ、７Ｂを積層した構成よりなり、人体への肌触り及び密着性を向上しつつ、導電性を確保している。
【００１４】
以上の脳波強制誘導装置は、装着具１０の接触部１２Ａ、１２Ｂを人体の頭部のこめかみや耳の前部に接触させてパルス電流を印加することにより、人体を媒体としてパルス電流が通電される。そして、パルス電流は人体の筋肉層、皮膚表面を通電するため、人体内部の筋肉は振動し、振動する事により細胞が共鳴する。又、脳はフィルターを持っていて、有害物質の侵入を防いでいるが、電気刺激は、血脳関門に左右されずに脳組織に届き、副作用も生じない。
【００１５】
尚、この実施例においては装置本体１内に収容したリズム音発生部８と装置本体外に開口したスピーカー９により、１／ｆ型の特性のゆらぎに基づくリズム音を発生するようにしている。その結果、リラックス効果を高めながら、パルス電流による脳波の誘導を図ることが可能となる。
【図面の簡単な説明】
【００１６】
【図１】この考案の脳波強制誘導装置の電気回路を示すブロック図。
【図２】同上、電極の装着具の斜視図。
【図３】同上、電極の装着具の要部の断面図。
【符号の説明】
【００１７】
１            装置本体
７Ａ、７Ｂ    電極
１０          装着具
【図１】
0003115353.tif 000003
【図２】
0003115353.tif 000004
【図３】
0003115353.tif 000005